(57)【特許請求の範囲】
【請求項１】
トラクタの後部に三点リンク機構（３）を介して装着される装着フレーム（４）と、液体を貯留するタンク（５）と、該タンク（５）内の液体を散布ノズル（６）に送るポンプ（７）とを備え、前記装着フレーム（４）は前後方向に沿って配置されたメインフレーム（１７）と、このメインフレーム（１７）の前端側に立設されたマスト（１８）とを備えて構成され、前記メインフレーム（１７）上にタンク（５）を載置すると共にメインフレーム（１７）の下方側にポンプ（７）を配置し、三点リンク機構（３）のトップリンク（９）は、該トップリンク（９）と該トップリンク（９）の作業機側連結部（９ｂ）を通り且つ該作業機側連結部（９ｂ）から下方に延びる上下方向の直線（Ａ）とがなす角度（Ｘ）よりも該トップリンク（９）と該トップリンクのトラクタ側連結部（９ａ）を通り且つ該作業機側連結部（９ｂ）から後方に延びる前後方向の直線（Ｂ）とがなす角度（Ｙ）の方が大となる後傾姿勢とされて作業機側連結部（９ｂ）がマスト（１８）に連結され、三点リンク機構（３）のロワーリンク（１０）の作業機側取付部（１０ｂ）はメインフレーム（１７）の前後方向中途部下方側に配置されたロワーリンク取付部（３２）に連結されており、
前記散布ノズル（６）を、トラクタの後輪（４１）の下部後方で且つロワーリンク取付部（３２）より前方側に配置したことを特徴とする液体散布装置。
【請求項２】
装着フレーム（４）を三点リンク機構（３）から取り外した際に該装着フレーム（４）を支えるスタンド（８）を備え、このスタンド（８）を装着フレーム（４）に対して着脱自在としたことを特徴とする請求項１に記載の液体散布装置。
【請求項３】
マスト（１８）の、トラクタの運転席から操作可能な位置に、ポンプ（７）によって送られてきた液体を散布ノズル（６）に送る状態とタンク（５）に戻す状態とに切り換える切換レバー（４０）を設けたことを特徴とする請求項１又は２に記載の液体散布装置。
【発明の詳細な説明】
【技術分野】
【０００１】
本発明は、トラクタの後部に三点リンク機構を介して液体散布機を装着し、走行しながら圃場に液状除草剤等の液体を散布する液体散布装置に関するものである。
【背景技術】
【０００２】
従来、圃場に液体を散布する液体散布機として、液体を貯留するタンクと、該タンク内の液体を圃場に散布する散布ノズルと、該散布ノズルにタンク内の液体を送るポンプとを備えた、背負い型の液体散布機がある（特許文献１参照）。
【特許文献１】特開平９−２２０５０１号公報
【発明の開示】
【発明が解決しようとする課題】
【０００３】
背負い型の液体散布機にあっては、作業者がタンクとポンプ等を備えた液体散布機を背負って、１畝ずつ歩いて散布するので、該散布作業が重労働であるという問題がある。
そこで、液体散布機をトラクタの後部に三点リンク機構を介して装着することにより、散布作業の軽減を図ることが考えられている。
この液体散布機をトラクタの後部に装着する場合、液体散布機のタンク及びポンプが比較的重量物であるので、これらをトラクタにできるだけ近づけて装着しないと重量バランスがわるくなるという問題が生じる。
【０００４】
そこで、本発明は、前記問題点に鑑みて、液体を貯留するタンクと、該タンク内の液体を散布ノズルに送るポンプとを備えた液体散布機をトラクタの後部に三点リンク機構を介して装着するにあたり、タンク及びポンプをトラクタに近づけて装着することができる液体散布装置を提供することを目的とする。
【課題を解決するための手段】
【０００５】
前記技術的課題を解決するために本発明が講じた技術的手段は、トラクタの後部に三点リンク機構を介して装着される装着フレームと、液体を貯留するタンクと、該タンク内の液体を散布ノズルに送るポンプとを備え、前記装着フレームは前後方向に沿って配置されたメインフレームと、このメインフレームの前端側に立設されたマストとを備えて構成され、前記メインフレーム上にタンクを載置すると共にメインフレームの下方側にポンプを配置し、三点リンク機構のトップリンクは、該トップリンクと該トップリンクの作業機側連結部を通り且つ該作業機側連結部から下方に延びる上下方向の直線とがなす角度よりも該トップリンクと該トップリンクのトラクタ側連結部を通り且つ該作業機側連結部から後方に延びる前後方向の直線とがなす角度の方が大となる後傾姿勢とされて作業機側連結部がマストに連結され、三点リンク機構のロワーリンクの作業機側取付部はメインフレームの前後方向中途部下方側に配置されたロワーリンク取付部に連結されており、
前記散布ノズルを、トラクタの後輪の下部後方で且つロワーリンク取付部より前方側に配置したことを特徴とする。
【０００６】
また、装着フレームを三点リンク機構から取り外した際に該装着フレームを支えるスタンドを備え、このスタンドを装着フレームに対して着脱自在とするのがよい。
また、マストの、トラクタの運転席から操作可能な位置に、ポンプによって送られてきた液体を散布ノズルに送る状態とタンクに戻す状態とに切り換える切換レバーを設けるのがよい。
【発明の効果】
【０００７】
本発明によれば、液体を貯留するタンクと、該タンク内の液体を散布ノズルに送るポンプとを備えた液体散布機をトラクタの後部に三点リンク機構を介して装着するにあたり、タンク及びポンプをトラクタに近づけて装着することができる。
【発明を実施するための最良の形態】
【０００８】
以下、本発明の実施の形態を図面を参照して説明する。
図１〜図５において、１は液体散布機として例示する除草剤散布機１であり、トラクタの車体の後部に三点リンク機構３を介して装着される装着フレーム４と、液状の除草剤を貯留するタンク５と、該タンク５内の除草剤を圃場に散布する散布ノズル６と、タンク５内の除草剤を散布ノズル６に圧送するポンプ７と、前記装着フレーム４に着脱自在に取り付けられて該装着フレーム４を三点リンク機構３から取り外した際に該装着フレーム４等を支えるスタンド８とを有する。
【０００９】
該除草剤散布機１を装着するトラクタとしては、例えば、２軸４輪形のハイクリアランストラクタが採用される。
三点リンク機構３は、上部の１本の長さ調整自在なトップリンク９と、下部の左右一対のロワーリンク１０とからなり、トップリンク９のトラクタ側連結部（前端側連結部）９ａはトラクタの車体の後部を構成するミッションケース１１の背面上部の左右方向中央部に取り付けられたトップリンク取付台１２に枢支連結され、ロワーリンク１０のトラクタ側取付部（前端側取付部）１０ａはミッションケース１１の後端側下部の側部に設けられた取付部５２に枢支連結されている。
【００１０】
なお、本実施の形態では、前記トップリンク取付台１２は後方に比較的大きく突出していて、標準三点リンク機構３のトップリンク９と、特殊三点リンク機構のトップリンクとが取付可能とされており、図例では、標準三点リンク機構３が採用されている。
ミッションケース１１の上部には、トラクタの後部に三点リンク機構３を介して取り付けられる作業機の昇降用の油圧装置１３が設けられ、この油圧装置１３は左右方向の軸心回りに回動するリフトアーム１４を左右一対備え、左右リフトアーム１４の先端側は左右方向で同じ側にあるロワーリンク１０の中途部にリフトロッド１５を介して連結されており、リフトアーム１４を上下揺動させることにより、除草剤散布機１が昇降するように構成されている。
【００１１】
ミッションケース１１の背面のトップリンク取付台１２の下方側には、トラクタのエンジンからの動力によって回転駆動されるＰＴＯ軸１６が後方突出状に設けられている。
前記装着フレーム４は、角筒状、断面Ｌ字状、断面コ字状等の枠材を連結して主構成されており、この装着フレーム４は、前後方向に沿って配置されたメインフレーム１７と、このメインフレーム１７の前端側に立設されたマスト１８と、メインフレーム１７の下方に間隔をおいて配置された下部フレーム１９と、メインフレーム１７と下部フレーム１９とを連結する前後の縦フレーム２０，２１とから主構成されている。
【００１２】
メインフレーム１７は、前後方向に沿って配置され且つ左右方向に間隔をおいて配置された左右一対の主枠材２２と、一方の主枠材２２の前端側上面から他方の主枠材２２の前端側上面にわたって左右方向に配置されていて左右主枠材２２同士を連結する前連結枠材２３と、左右主枠材２２間の前後方向中間部に配置されていて左右主枠材２２同士を連結する中間連結枠材２４とを有してなる。
マスト１８は、メインフレーム１７の前連結枠材２３の左右方向中央側に配置されており、上下方向に沿って配置された左右一対の縦枠材２５と、この左右縦枠材２５の上端同士を連結する連結プレート２６とによって構成されている。
【００１３】
下部フレーム１９は、前後方向に沿って配置され且つメインフレーム１７の左右各主枠材２２の下方側に間隔をおいて配置された左右一対の側枠材２７と、左右側枠材２７間の前後方向中間部に配置されていて左右側枠材２７同士を連結する中間連結枠材２８とを有する。
メインフレーム１７の左右主枠材２２の前部は、下部フレーム１９の左右側枠材２７よりも前方に突出しており、前縦フレーム２０はメインフレーム１７の主枠材２２の前後方向中途部と下部フレーム１９の側枠材２７の前端側とを連結しており、後縦フレーム２１はメインフレーム１７の主枠材２２と下部フレーム１９の側枠材２７の後部同士を連結している。
【００１４】
タンク５は装着フレーム４のメインフレーム１７上（左右主枠材２２上）に載置されると共に、該タンク５は左右一対のバンド（図示省略）によってメインフレーム１７に固定されている。
前記バンドは、タンク５の前面側から上面側を経て背面側に至るように設けられ、一端がメインフレーム１７の前連結枠材２３の左右方向端部に係止され、他端側がメインフレーム１７の主枠材２２の後端部に設けられた係止片２９に係止される。
ポンプ７は、メインフレーム１７及びタンク５の下方側に配置されていて、下部フレーム１９の中間連結枠材２８に取付固定されており、該ポンプ７の入力軸７ａは、前方突出状に設けられていてＰＴＯ軸１６にユニバーサルジョイントを介して連動連結され、ＰＴＯ軸１６からの回転動力によってポンプ７が駆動される。
【００１５】
トップリンク９は、該トップリンク９と該トップリンク９の作業機側連結部（後端側連結部）９ｂを通る上下方向の直線Ａとがなす角度Ｘよりも該トップリンク９と該トップリンク９のトラクタ側連結部９ａを通る前後方向の直線Ｂとがなす角度Ｙの方が大となる後傾姿勢（後方に行くに従って上方に移行する傾斜状）とされており、該トップリンク９の作業機側連結部９ｂが前記マスト１８の左右縦枠材２５間の上部に挿入されると共に、該作業機側連結部９ｂが左右方向の枢軸３０によって左右縦枠材２５に枢支連結されている。
【００１６】
下部フレーム１９の左右各側枠材２７の前端側の左右方向外側面には、それぞれ取付板３１が該側枠材２７から上下に突出状に固定されており、この左右各取付板３１の下部側に左右方向外方に突出状として固定されたピン等からなるロワーリンク取付部３２が設けられている。
このロワーリンク取付部３２に、ロワーリンク１０の作業機側取付部（後端側取付部）１０ｂが連結されている。
トップリンク９がトラクタ側連結部９ａを通る前後方向の直線Ｂに対して比較的大きな角度Ｙをもって後傾状とされて装着フレーム４のマスト１８に連結され、且つ、ロワーリンク１０がメインフレーム１７の前後方向中途部下方側に配置されたロワーリンク取付部３２に連結され、且つ、メインフレーム１７上にタンク５を載置すると共にメインフレーム１７の下方側にポンプ７を配置したので、タンク５及びポンプ７をトラクタに近接させて装着することができる。
【００１７】
除草剤散布機１をトラクタに近づけて装着することにより、２００リットルの容量のタンクを搭載した除草剤散布機１であっても、トラクタの前輪にかかる荷重を適正にすることができ（前輪重量バランスを適正に確保でき）、安定した作業ができる。
下部フレーム１９の左側の側枠材２７の前後方向中途部にはブラケット３３が取付固定され、このブラケット３３にフィルタ３４が取付固定されており、このフィルタ３４に前記ポンプ７の吸込み側が接続ホースを介して接続され、このフィルタ３４はサクションホースを介してタンク５の底部側に接続され、ポンプ７を駆動することによりタンク５内の除草剤がフィルタ３４を介してポンプ７内に吸い込まれるよう構成されている。
【００１８】
ポンプ７の吐出側は、マスト１８の上端側に設けられた接続ブロック３５に形成された液体流通路にデリバリーホースを介して接続されていると共に、該ポンプ７の吐出側には、該ポンプ７から吐出されて接続ブロック３５へと送られる除草剤の液圧の変動を緩和する空気室３６が設けられている。
前記接続ブロック３５には、正面側に圧力計３７が、上面側に調圧弁３８が、右側面にコック３９が接続されていて、それぞれ接続ブロック３５の内部に形成された液体流通路に接続されている。
【００１９】
コック３９は送液ホースを介して散布ノズル６に接続されると共に、該コック３９は切換レバー４０の揺動操作によって開閉され、該切換レバー４０を操作することにより、ポンプ７から圧送されてきた除草剤を散布ノズル６に送る状態と除草剤の散布ノズル６への圧送を遮断する状態とに切り換えられる。
コック３９を閉めて散布ノズル６への除草剤の圧送を遮断すると、接続ブロック３５内の液体流通路の液圧が上がって調圧弁３８が開き、ポンプ７から送られてきた除草剤がリターンホースを介してタンク５に戻される。
【００２０】
コック３９の切換レバー４０は、該コック３９の正面側に設けられていて、トラクタの運転席から操作できる位置にあり、除草剤散布機１をトラクタに近づけて装着することにより、トラクタの運転席からの切換レバー４０へのアクセスが容易となる。
散布ノズル６は、装着フレーム４をトラクタに装着した状態で、トラクタの左右の各後輪４１の下部の後方近傍位置で且つロワーリンク取付部３２の前方側に配置されており、装着フレーム４に取り付けられた支持体４２に取り付けられている。
支持体４２は、前記左右各取付板３１の上部に左右方向外方に突出状として取り付けられた支持アーム４３と、この支持アーム４３の左右方向外端側に左右位置調整自在に外嵌固定された取付筒４４と、この取付筒４４に取り付けられた支持プレート４５と、この支持プレート４５に取り付けられた取付プレート４６とを有する。
【００２１】
前記支持プレート４５は、上壁４７と、該上壁４７の前端から下方に向けて延出された前壁４８とを有し、上壁４７が前記取付筒４４の下面側に前後位置調整自在に取付固定されており、前壁４８に取付プレート４６が上下位置調整自在に取り付けられている。
この取付プレート４６の下端側には、該取付プレート４６を後方に向けて折曲して形成された取付片４９が設けられ、この取付片４９に継手部材５０が取付固定され、この継手部材５０は送液ホースを介してコック３９の出側に接続される。
継手部材５０の下部には、左方及び右方にそれぞれ突出するように設けられた送液パイプ５１が設けられており、この左右の送液パイプ５１の各々に、その吐出口が下方を向くように散布ノズル６が接続されており、該散布ノズル６によってトラクタの前輪及び後輪４１が通過する畝間の溝に除草剤が散布される。
【００２２】
前記散布ノズル６は、取付筒４４の左右位置調整、支持プレート４５の前後位置調整、取付プレート４６の上下位置調整によって、左右、前後及び上下に位置調整自在である。
この散布ノズル６は、図１に仮想線で示すように、後輪４１の後方の該後輪４１から離れた位置に配置されていると発進角Ｄ１が小さいが、散布ノズル６を後輪４１の後方近傍に配置することにより、発進角Ｄ２を大きく採ることができ、トラクタが段差を乗り越える際において該段差の乗り越えを楽に行うことができる。
スタンド８は左右一対備えられており、角筒部材を折曲して側面視前方開放状のコ字形に形成されており、上部は、角筒部材から形成された下部フレーム１９の側枠材２７に後方から挿入されて該側枠材２７に取付固定される差込み部８ａとされ、下部はメインフレーム１７の主枠材２２の前端側から後端側に至る長さに形成されると共に散布ノズル６の下方側に位置する接地部８ｂとされている。
【００２３】
このスタンド８は作業時にあっては取り外され、軽量化できるように構成されている。
なお、除草剤散布機１をトラクタに装着して散布作業をする位置においてスタンド８を装着した状態では、該スタンド８の接地部８ｂ下面は地面から若干離れていて、除草剤散布機１を降ろすことによりスタンド８の接地部８ｂが接地して該スタンド８が装着フレーム４等を支え、除草剤散布機１が自立可能とされる。
前述した実施形態において、液体散布機としては、除草剤散布機１に限定されることはなく、タンク５に液状防虫剤（薬液）や液肥等の液体を貯留し、該液体を作物や畝等に散布するようにした散布機であってもよい。
【図面の簡単な説明】
【００２４】
【図１】液体散布機をトラクタに装着した状態を示す側面図である。
【図２】液体散布機にスタンドを装着した状態を示す側面図である。
【図３】液体散布機にスタンドを装着した状態を示す正面図である。
【図４】液体散布機にスタンドを装着した状態を示す平面図である。
【図５】液体散布機にスタンドを装着した状態を示す斜視図である。
【符号の説明】
【００２５】
３    三点リンク機構
４    装着フレーム
５    タンク
６    散布ノズル
７    ポンプ
８    スタンド
９    トップリンク
９ａ  トラクタ側連結部
９ｂ  作業機側連結部
１０    ロワーリンク
１０ｂ  作業機側取付部
１７    メインフレーム
１８    マスト
３２    ロワーリンク取付部
４０    切換レバー
４１    後輪
Ａ    上下方向の直線
Ｂ    前後方向の直線
Ｘ    トップリンクと上下方向の直線とがなす角度
Ｙ    トップリンクと前後方向の直線とがなす角度
【図１】
0004627223.tif 000002
【図２】
0004627223.tif 000003
【図３】
0004627223.tif 000004
【図４】
0004627223.tif 000005
【図５】
0004627223.tif 000006